(57)【要約】【課題】  様々な情報の中から特定の個人に関する情報だけを処理動作の対象にしたいような場合に、その操作性を向上させることができる携帯端末装置を提供する。【解決手段】  通話及び／又は通信メッセージによる通信を行なうことができる携帯端末装置２であって、少なくとも１つの通信先の宛先情報、及びこの通信先との通信履歴を含む、特定の個人に関する複数の情報を構成要素とするデータ構造の個人情報３０を記憶する記憶部１６と、個人情報３０を表示する表示部８と、表示部８に表示された個人情報に対応する通信先に通信操作可能とする制御部２０とを備えるようにした。【選択図】      図１
2006128886.tif 000002
【特許請求の範囲】
【請求項１】
通話及び／又は通信メッセージによる通信を行なうことができる携帯端末装置であって、
少なくとも１つの通信先の宛先情報、及びこの通信先との通信履歴を含む、特定の個人に関する複数の情報を構成要素とするデータ構造の個人情報を記憶する記憶部と、
前記個人情報を表示する表示部と、
前記表示部に表示された前記個人情報に対応する通信先に通信操作可能とする制御部と
を備えることを特徴とする携帯端末装置。
【請求項２】
前記制御部は、前記表示部に表示された前記個人情報に対応する通信先に通信が行なわれた場合に、前記通信履歴を更新することを特徴とする請求項１に記載の携帯端末装置。
【請求項３】
前記個人情報は、ＯＮ又はＯＦＦのいずれかに設定されるアクセス制限設定の情報を構成要素として有し、
前記制御部は、アクセス制限設定がＯＮの場合には、前記個人情報を前記表示部に表示することを一定条件下に制限することを特徴とする請求項１又は２に記載の携帯端末装置。
【請求項４】
前記個人情報は、少なくとも画像、スケジュール、日記又は動画のいずれかの情報を構成要素として有することを特徴とする請求項１ないし３のいずれか一に記載の携帯端末装置。
【請求項５】
前記制御部は、所定の操作が行なわれたときに、前記個人情報を消去することを特徴とする請求項１ないし請求項４のいずれか一に記載の携帯端末装置。
【請求項６】
通話及び／又は通信メッセージによる通信を行なうことができ、
少なくとも電話番号又は通信アドレス、並びにこの電話番号又は通信アドレスの通信先との間で行なわれた通話及び／又は通信メッセージによる通信の履歴を記憶する記憶部を備える携帯端末装置の情報の管理方法であって、
前記記憶部に、特定の個人に関する複数の情報を構成要素とするデータ構造の個人情報を生成し、この個人情報の構成要素として電話番号又は通信アドレス、並びにこの電話番号又は通信アドレスの通信先との間で行なわれた通話及び／又は通信メッセージによる通信の履歴を記憶するようにしたことを特徴とする携帯端末装置の情報の管理方法。
【発明の詳細な説明】
【技術分野】
【０００１】
本発明は、履歴表示機能やアドレス帳機能等を備えて、通信先である個人に関する情報を記憶することができるようになっている携帯端末装置、及びその情報の管理方法に関するものである。
【背景技術】
【０００２】
従来において、履歴表示機能を備えることにより、表示部の表示面に、通話の発信及び着信、並びに電子メール（通信メッセージ）の送信及び受信の各種類ごとに、通信の履歴を表示することができるようになっている携帯端末装置があった。
【０００３】
また、アドレス帳機能を備えることにより、名前、並びに電話番号や電子メールアドレス（通信アドレス）のような宛先情報で構成される個人情報を複数登録しておき、必要に応じて、このような複数の個人情報の中から、特定の個人情報を表示部の表示面に表示させることができるようになっている携帯端末装置があった。
【０００４】
また、上記のような履歴表示機能とアドレス帳機能の両方を備え、通話の発信及び着信、並びに電子メールの送信及び受信の各種類ごとに、通信の履歴を表示することができるだけではなく、アドレス帳機能により個人情報が登録されている個人を相手にして行なわれた通信については、通信の種類に関係なく、通信を行なった相手ごとに履歴を表示させることができるようになっている携帯端末装置があった（例えば、特許文献１参照）。
【０００５】
したがって、前記特許文献１のような携帯端末装置によれば、履歴表示機能及びアドレス帳機能のいずれにおいても、ユーザーは、複数の情報の中から、特定の個人に関するものに絞り込んで把握することができるようになっていた。
【特許文献１】特開２００４−２５９１９４号公報
【発明の開示】
【発明が解決しようとする課題】
【０００６】
しかしながら、前記特許文献１のような携帯端末装置では、前記履歴表示機能やアドレス帳機能以外の機能を利用するときには、複数の情報の中から特定の個人に関する情報だけを、閲覧したり利用したりするような処理動作の対象にしようとしても、履歴表示機能やアドレス帳機能以外の機能に対応して記憶されている情報は、各個人ごとの情報としてまとめられてはいないので、特定の個人に関する様々な情報を処理動作の対象として、まとめて扱うことができないため、操作が煩わしくなってしまうという問題があった。
【０００７】
また、前記特許文献１のような携帯端末装置では、その操作の手順が、前記履歴表示機能やアドレス帳機能、及びこれら以外の機能の中から、いずれの機能を利用するのかについて選択した後に、この選択した機能を用いて処理しようとする情報を選択するようになっていた。
【０００８】
このため、様々な情報の中から特定の個人に関するものだけを、いずれかの機能の処理動作の対象にしようとしても、処理動作の対象となる情報の中に、利用する機能が異なるものが混在しているような場合には、利用する機能をその都度選択し直してから、再び機能による処理動作の対象となる情報を選択し直すという操作を繰り返して行なわなければならないため、このような観点からも、操作が煩わしくなってしまうという問題があった。
【０００９】
そこで本発明は、上記問題点に鑑みて、様々な情報の中から特定の個人に関する情報だけを処理動作の対象にしたいような場合に、その操作性を向上させることができる携帯端末装置、及びその情報の管理方法を提供することを課題とするものである。
【課題を解決するための手段】
【００１０】
上記課題を解決するために本発明は、
通話及び／又は通信メッセージによる通信を行なうことができる携帯端末装置であって、
少なくとも１つの通信先の宛先情報、及びこの通信先との通信履歴を含む、特定の個人に関する複数の情報を構成要素とするデータ構造の個人情報を記憶する記憶部と、
前記個人情報を表示する表示部と、
前記表示部に表示された前記個人情報に対応する通信先に通信操作可能とする制御部とを備えることを特徴とするものである。
【００１１】
また、本発明による携帯端末装置は、前記制御部は、前記表示部に表示された前記個人情報に対応する通信先に通信が行なわれた場合に、前記通信履歴を更新するようになっていてもよい。
【００１２】
また、本発明による携帯端末装置は、
前記個人情報は、ＯＮ又はＯＦＦのいずれかに設定されるアクセス制限設定の情報を構成要素として有し、
前記制御部は、アクセス制限設定がＯＮの場合には、前記個人情報を前記表示部に表示することを一定条件下に制限するようになっていてもよい。
【００１３】
また、本発明による携帯端末装置は、前記個人情報は、少なくとも画像、スケジュール、日記又は動画のいずれかの情報を構成要素として有するようになっていてもよい。
【００１４】
また、本発明による携帯端末装置は、前記制御部は、所定の操作が行なわれたときに、前記個人情報を消去するようになっていてもよい。
【００１５】
また、上記課題を解決するために本発明は、
通話及び／又は通信メッセージによる通信を行なうことができ、
少なくとも電話番号又は通信アドレス、並びにこの電話番号又は通信アドレスの通信先との間で行なわれた通話及び／又は通信メッセージによる通信の履歴を記憶する記憶部を備える携帯端末装置の情報の管理方法であって、
前記記憶部に、特定の個人に関する複数の情報を構成要素とするデータ構造の個人情報を生成し、この個人情報の構成要素として電話番号又は通信アドレス、並びにこの電話番号又は通信アドレスの通信先との間で行なわれた通話及び／又は通信メッセージによる通信の履歴を記憶するようにしたことを特徴とするものである。
【発明の効果】
【００１６】
このような本発明の携帯端末装置、及びその情報の管理方法によれば、様々な情報の中から特定の個人に関する情報だけを処理動作の対象にしたいような場合に、携帯端末装置の操作性を向上させることができる。
【発明を実施するための最良の形態】
【００１７】
以下、本発明に係る携帯端末装置、及びその情報の管理方法の実施の形態について、図面に基づいて具体的に説明する。
図１ないし図９は、本発明の一実施の形態に係る携帯電話機２（携帯端末装置に相当）について説明するために参照する図である。
【００１８】
図１は、本実施の形態に係る携帯電話機２の回路構成を示すブロック図である。同図に示すように、携帯電話機２は、通信部４、操作部６、表示部８、音声処理部１０、スピーカー１２、マイクロホン１４、記憶部１６、撮像部１８、及びこれらを制御する制御部２０を備えている。
【００１９】
音声処理部１０、スピーカー１２及びマイクロホン１４は、通信部４を介して通話の通信を行なうときなどに用いられ、一般的な携帯電話機と同様に動作するものである。
【００２０】
携帯電話機２は、履歴表示機能を備えており、通話の発信の履歴、及び通話の着信の履歴のそれぞれを、記憶部１６の通話発信履歴ファイル２２及び通話着信履歴ファイル２４に記憶するようになっており、このような通信の履歴を、通信の種類ごとに表示部８に表示することができるようになっている。
【００２１】
また、携帯電話機２は、送受信した電子メールのデータを、送信したものと受信したものに分けて、記憶部１６の電子メールボックス２６内に保存しておくようになっている。
【００２２】
また、携帯電話機２は、従来の携帯電話機と同様に、アドレス帳機能を備えており、個人情報が操作部６から入力されると、この個人情報を記憶部１６のアドレス帳ファイル２８に登録するようになっている。アドレス帳ファイル２８に登録される個人情報は、名前、電話番号、電子メールアドレス、誕生日、星座、及び住所等についての情報で構成されている。
【００２３】
ユーザーは、必要に応じて、アドレス帳ファイル２８に登録した複数の個人情報の中から、特定の個人情報を表示部８に表示させることができるようになっている。
【００２４】
また、携帯電話機２は、通話の着信があった場合又は電子メールを受信した場合に、スピーカー１２から出力される着信音について、ユーザーが記憶部１６に予め記憶されている複数の着信音の中から、いずれかの種類のものを設定することができるようになっていて、このような着信音の種類を、アドレス帳ファイル２８の個人情報ごとに記憶させることができるようになっている。
【００２５】
また、携帯電話機２は、アドレス帳ファイル２８に登録した個人情報ごとに着信画像を記憶させることができるようになっていて、通話の着信があった場合又は電子メールを受信した場合に、このような着信画像を表示部８に表示させるようになっている。このような着信画像としては、例えば、撮像部１８により撮影した相手の顔写真等を用いることができる。
【００２６】
また、記憶部１６には、複数の個人情報ボックス３０を記憶させることができるようになっている。この個人情報ボックス３０は、図２に示すようなデータ構造になっており、名前フォルダ３２、電話番号フォルダ３４、電子メールアドレスフォルダ３６、誕生日フォルダ３８、星座フォルダ４０、住所フォルダ４２、着信音設定フォルダ４４、着信画像フォルダ４６、位置情報フォルダ４８、スケジュールフォルダ５０、アラーム設定フォルダ５２、日記フォルダ５４、通話発信履歴フォルダ５６、通話着信履歴フォルダ５８、送信電子メールフォルダ６０、受信電子メールフォルダ６２、カテゴリー外フォルダ６４、及びアクセス制限設定フォルダ６６を有するようになっている。
【００２７】
個人情報ボックス３０は、ユーザーの操作に基づく制御部２０の処理動作により生成されるようになっており、この個人情報ボックス３０には、生成された順番に個人情報番号Ｚが付されるようになっている。
【００２８】
次に、図３のフローチャートに基づいて、制御部２０が個人情報ボックス３０を生成するときの処理動作を説明する。
【００２９】
アドレス帳機能の動作中に、ユーザーによる一定の操作が行なわれると、制御部２０は、図示しないが、図１に示すアドレス帳ファイル２８に登録されている複数の個人情報のそれぞれから、その中の名前の部分を表示部８に一覧形式で表示させるようになっている。
【００３０】
そして、ユーザーは、操作部６が有する不図示の上下左右方向キー等を操作することにより、表示部８に表示されている複数の名前の中から、個人情報ボックス３０を用いて管理したい個人情報の名前を指定することができるようになっている（ステップＳ１０１）。
【００３１】
ステップＳ１０１において、ユーザーが個人情報ボックス３０を用いて管理したい個人情報の名前を指定する操作を行なうと、制御部２０は、表示部８に図示しない所定のメニュー画面を表示させるようになっている。
【００３２】
ユーザーが、このメニュー画面中の複数の項目の中から「一元管理」の項目を指定する操作を行なうと（ステップＳ１０２）、制御部２０は、ステップＳ１０３以降の処理動作を行なうようになっている。
【００３３】
ステップＳ１０３において、制御部２０は、図２に示すようなデータ構造の個人情報ボックス３０を生成すると共に、この個人情報ボックス３０に個人情報番号Ｚを付するようになっている。そして、ステップＳ１０１でユーザーが指定した名前に対応するアドレス帳ファイル２８内の個人情報を、個人情報ボックス３０に複写するようになっている。
【００３４】
すなわち、アドレス帳ファイル２８内に登録されている個人情報の要素である名前、電話番号、電子メールアドレス、誕生日、星座、住所、着信音の種類、及び着信画像のそれぞれは、図２に示す個人情報ボックス３０内の名前フォルダ３２、電話番号フォルダ３４、電子メールアドレスフォルダ３６、誕生日フォルダ３８、星座フォルダ４０、住所フォルダ４２、着信音設定フォルダ４４、及び着信画像フォルダ４６に格納されるようになっている。
【００３５】
次に、制御部２０は、図１に示す通話発信履歴ファイル２２及び通話着信履歴ファイル２４のそれぞれに記憶されている、通話発信履歴及び通話着信履歴の中から、その通信先の電話番号が、図２に示す個人情報ボックス３０内の電話番号フォルダ３４に格納されている電話番号と一致するものを抽出するようになっている（図３中、ステップＳ１０４）。
【００３６】
そして、制御部２０は、ステップＳ１０４で抽出した通話発信履歴及び通話着信履歴のそれぞれを、図２に示す個人情報ボックス３０内の通話発信履歴フォルダ５６及び通話着信履歴フォルダ５８に格納するようになっている（ステップＳ１０５）。
【００３７】
また、制御部２０は、図１に示す電子メールボックス２６に保存されている電子メールのデータの中から、その宛先又は差出人の電子メールアドレスが、図２に示す個人情報ボックス３０内の電子メールアドレスフォルダ３６に格納されている電子メールアドレスと一致するものを抽出するようになっている（図３中、ステップＳ１０６）。
【００３８】
また、制御部２０は、ステップＳ１０６で抽出した電子メールのデータを、送信したものと受信したものに分けて、図２に示す個人情報ボックス３０内の送信電子メールフォルダ６０及び受信電子メールフォルダ６２に格納するようになっている（図３中、ステップＳ１０７）。
【００３９】
そして、制御部２０は、図１に示すアドレス帳ファイル２８内の個人情報であって、ステップＳ１０３で個人情報ボックス３０に複写したものを消去すると共に（図３中、ステップＳ１０８）、通話発信履歴ファイル２２内の通話発信履歴、通話着信履歴ファイル２４内の通話着信履歴、及び電子メールボックス２６内の電子メールのデータであって、ステップＳ１０５及びＳ１０７で個人情報ボックス３０に複写したものを消去するようになっている（ステップＳ１０９）。
【００４０】
このような個人情報ボックス３０内に記憶されるようになった情報、または、この個人情報ボックス３０が作成された後に、この個人情報ボックス３０に新たに記憶されていく情報は、携帯電話機２が備える様々な機能の処理動作の対象となった場合でも、個人情報ボックス３０内に記憶されて管理されるようになっている。
【００４１】
また、制御部２０は、ユーザーが、特定の個人情報ボックス３０を指定して、所定の操作を行なった場合には、その個人情報ボックス３０を消去するようになっている。
【００４２】
次に、このような個人情報ボックス３０が作成された後に、この個人情報ボックス３０内に記憶されている情報を対象として、携帯電話機２が備える様々な機能の処理動作を行なわせるときの操作について説明する。
【００４３】
個人情報ボックス３０が作成された後においては、操作部６の図示しない発信キー及びテンキーにおける「１」のキーを順番に押下することにより、図４に示すように、表示部８の表示面８ａに、個人情報ボックス３０に対応する個人別メニュー画面７０を表示させることができるようになっている。
【００４４】
また、図１に示すように、作成された個人情報ボックス３０が記憶部１６内に複数記憶されているような場合には、表示部８に表示される個人別メニュー画面７０は、操作部６の図示しない発信キー、及びテンキーのいずれかのキーを組合せて押下することにより、このようなキーの組合せに対応する個人情報ボックス３０の個人別メニュー画面７０を表示させることができるようになっている。
【００４５】
図４に示すように、個人別メニュー画面７０は、その略上側半分の領域に、この個人別メニュー画面７０に対応する個人情報ボックス３０に記憶されている一定の情報を表示するようになっている。
【００４６】
すなわち、個人別メニュー画面７０の上側寄りの位置に、個人情報ボックス３０ごとに付された個人情報番号Ｚ「００３」が表示されるようになっている。また、個人情報番号Ｚの下側には、名前、電話番号、電子メールアドレス、及び着信画像が表示されるようになっている。つまり、個人情報の一部が表示部８に表示されるようになっている。
【００４７】
この名前、電話番号、電子メールアドレス、及び着信画像は、個人別メニュー画面７０に対応する、図２の個人情報ボックス３０の名前フォルダ３２、電話番号フォルダ３４、電子メールアドレスフォルダ３６、及び着信画像フォルダ４６のそれぞれに格納されているものである。
【００４８】
また、図４に示す個人別メニュー画面７０は、その略下側半分の領域に、各メニュー項目「個人情報詳細」７２ａ，「メール作成」７２ｂ，「発信」７２ｃ，「カメラ」７２ｄ，「スケジュール」７２ｅ，「日記」７２ｆ，「発着信履歴」７２ｇ，「メールボックス」７２ｈ，「カテゴリー外データ」７２ｉ，「登録情報の編集」７２ｊ，及び「データの移動」７２ｋが表示されるようになっている。
【００４９】
ユーザーは、操作部６の図示しない上下左右方向キーを操作することにより、この操作に対応して個人別メニュー画面７０上を移動するポインタ７４をいずれかのメニュー項目７２に移動させた後、操作部６の図示しない決定キーを押下してポインタ７４が指すメニュー項目７２を指定することができるようになっている。
【００５０】
このような操作により、個人別メニュー画面７０上のいずれかのメニュー項目７２に対応する機能が起動すると、この機能が処理動作の対象とする情報として、個人別メニュー画面７０に対応する個人情報ボックス３０内の情報が用いられるようになっており、また、このような機能の処理動作により加工された情報や、新たに生成された情報は個人情報ボックス３０に格納されるようになっている。
【００５１】
例えば、「個人情報詳細」のメニュー項目７２ａを選択する操作が行なわれると、制御部２０は、図示しないが、図２に示す個人情報ボックス３０の名前フォルダ３２、電話番号フォルダ３４、電子メールアドレスフォルダ３６、誕生日フォルダ３８、星座フォルダ４０、住所フォルダ４２、及び位置情報フォルダ４８に格納されている情報を、表示部８に一覧形式で表示するようになっている。
【００５２】
また、図４に示す「メール作成」のメニュー項目７２ｂを選択する操作が行なわれると、制御部２０の処理動作により、表示部８には、送信する文章等を入力するための電子メール作成画面が表示され、この電子メール作成画面に文章等の入力を終えた後に送信する操作が行なわれた際には、宛先が入力されていなくても、図２に示す個人情報ボックス３０の電子メールアドレスフォルダ３６に格納されている電子メールアドレスを宛先として送信するようになっている。
【００５３】
また、図４に示す「発信」のメニュー項目７２ｃを選択する操作が行なわれると、電話番号が入力されなくても、制御部２０は、図２に示す個人情報ボックス３０の電話番号フォルダ３４に格納されている電話番号を用いて通話の発信を行なうようになっている。
【００５４】
また、ユーザーが、図４に示す個人別メニュー画面７０上に個人情報が表示されている当人を被写体として撮影しようとすることにより、「カメラ」のメニュー項目７２ｄを選択する操作が行なわれ、図１に示す撮像部１８により撮影が行なわれると、制御部２０の処理動作により、その画像データ又は動画データは、図２に示す個人情報ボックス３０のカテゴリー外フォルダ６４に格納されるようになっている。
【００５５】
また、図４に示す「スケジュール」のメニュー項目７２ｅを選択する操作が行なわれた場合には、その後の操作により日付や時刻を指定して入力されたスケジュールの情報が、図２に示す個人情報ボックス３０のスケジュールフォルダ５０に格納されるようになっている。
【００５６】
したがって、ユーザーが、個人別メニュー画面７０上に個人情報が表示されている当人のスケジュール、又はこの当人に関係するようなユーザーのスケジュールの情報を入力していくことにより、個人別メニュー画面７０上に個人情報が表示されている当人に関するスケジュールだけが、スケジュールフォルダ５０に蓄積されていくようになっている。
【００５７】
また、図４に示す「スケジュール」のメニュー項目７２ｅを選択する操作が行なわれた後に、一定の操作が行なわれると、このスケジュールフォルダ５０に格納されているスケジュールの情報が表示部８に表示されるようになっている。
【００５８】
また、アラーム設定フォルダ５２には、スケジュールフォルダ５０に格納された各スケジュールと互いに対応するアラーム設定として、ＯＮ又はＯＦＦのいずれかが登録されるようになっており、スケジュールで指定した日時になったときには、このスケジュールが記憶されている個人情報ボックス３０に対応する個人別メニュー画面７０が表示部８に表示されると共に、アラーム音が鳴るようになっている。このようなアラーム設定は、スケジュールを入力する操作に続けてユーザーが設定するようになっている。
【００５９】
また、図４に示す「日記」のメニュー項目７２ｆを選択する操作が行なわれた場合には、その後の操作により、入力された文章に自動的に日付を付して、図２に示す個人情報ボックス３０の日記フォルダ５４に格納したり、日記フォルダ５４に格納されている文章を表示部８に表示させたりするようになっている。
【００６０】
したがって、ユーザーが、個人別メニュー画面７０に表示されている当人との出来事について作成した文章だけが、日記フォルダ５４に蓄積されていくようになっている。
【００６１】
また、図４に示す「発着信履歴」のメニュー項目７２ｇを選択する操作が行なわれた場合には、その後の操作により、図２に示す個人情報ボックス３０の通話発信履歴フォルダ５６又は通話着信履歴フォルダ５８に格納されている履歴の情報を表示部８に表示させるようになっている。また、このように表示された履歴の中から特定のものを指定する操作が行なわれると、その履歴を通話発信履歴フォルダ５６又は通話着信履歴フォルダ５８から削除するようになっている。
【００６２】
また、図４に示す「メールボックス」のメニュー項目７２ｈを選択する操作が行なわれた場合には、その後の操作により、送信電子メールフォルダ６０又は受信電子メールフォルダ６２に格納されている電子メールのデータを表示部８に表示させるようになっている。
【００６３】
また、図４に示す「登録情報の編集」のメニュー項目７２ｊを選択する操作が行なわれた場合には、その後に行なわれた一定の操作に基づいて、制御部２０は、個人情報ボックス３０の電話番号フォルダ３２、電子メールアドレス３６、着信画像フォルダ４６等に格納されている情報を変更するようになっている。
【００６４】
また、ユーザーが、「登録情報の編集」のメニュー項目７２ｊを選択した後に、上記一定の操作とは異なる他の操作を行なった場合には、この操作に基づいて、制御部２０は、個人情報ボックス３０のアクセス制限フォルダ６６に記憶されているアクセス制限の設定を変更するようになっている。このアクセス制限の設定がＯＮに変更された場合は、制御部２０は、操作部６からパスワードが入力されない限り、表示部８に、この個人情報ボックス３０に対応する個人別メニュー画面７０を表示させないようになっている。
【００６５】
また、図４に示す「データの移動」のメニュー項目７２ｋを選択する操作が行なわれた場合には、その後に行なわれる操作に基づいて、個人情報ボックス３０に記憶されている情報を、図１に示す記憶部１６内における、この個人情報ボックス３０以外の他のファイルやフォルダに移動させたり、この個人情報ボックス３０以外の他のフォルダ内の情報を、個人情報ボックス３０内に移動させたりすることができるようになっている。
【００６６】
次に、図５及び図６のフローチャートに基づいて、携帯電話機２が通話を着信したとき又は電子メールを受信したときにおける、制御部２０の処理動作について説明する。
【００６７】
携帯電話機２が通信を受け取ると（図５中、ステップＳ２０１）、制御部２０は、この通信が通話の着信又は電子メールの受信のいずれであるのかを判断するようになっている（ステップＳ２０２）。
【００６８】
この通信が電子メールであった場合には（ステップＳ２０２のＮＯ）、制御部２０は、この受信した電子メールの差出人の電子メールアドレスを抽出し、この電子メールアドレスと一致する電子メールアドレスが電子メールアドレスフォルダ３６（図２参照）に格納されているような個人情報ボックス３０が存在するかどうかを調べるため、図１に示す記憶部１６内の全ての個人情報ボックス３０について検索を行なうようになっている（図５中、ステップＳ２０３）。
【００６９】
受信した電子メールのアドレスと一致する電子メールアドレスが、いずれの個人情報ボックス３０からも見つけ出せなかった場合には（ステップＳ２０４のＮＯ）、制御部２０は、受信した電子メールのデータを、図１に示す電子メールボックス２６に保存するようになっている（図５中、ステップＳ２０５）。
【００７０】
また、受信した電子メールのアドレスと一致する電子メールアドレスが、いずれかの個人情報ボックス３０から見つかった場合には（ステップＳ２０４のＹＥＳ）、制御部２０は、受信した電子メールのデータを、その個人情報ボックス３０内の受信電子メールフォルダ６２（図２参照）に保存するようになっている（図５中、ステップＳ２０６）。
【００７１】
また、受信した電子メールが添付ファイルを有している場合には、この添付ファイルを、個人情報ボックス３０内のカテゴリー外フォルダ６４に保存するようになっている（図５中、ステップＳ２０７）。
【００７２】
そして、制御部２０は、図７に示すように、この個人情報ボックス３０に対応する個人別メニュー画面７０を表示部８に表示させると共に、この個人別メニュー画面７０に該当する相手から電子メールを受信した旨を報知するガイダンス７６を表示するようになっている（図５中、ステップＳ２０８）。
【００７３】
また、ステップＳ２０１で受取った通信が通話であった場合には（ステップＳ２０２のＹＥＳ）、この通話の通信が終了（ステップＳ２０９）した後に、制御部２０は、この通話の通信における相手の電話番号と一致する電話番号が電話番号フォルダ３４（図２参照）に格納されている個人情報ボックス３０が存在するかどうかを調べるため、図１に示す記憶部１６内の全ての個人情報ボックス３０について検索を行なうようになっている（図６中、ステップＳ２１０）。
【００７４】
相手の電話番号と一致する電話番号が、いずれの個人情報ボックス３０からも見つけ出せなかった場合には（ステップＳ２１１のＮＯ）、制御部２０は、この通話の着信履歴を、図１に示す通話着信履歴ファイル２４に保存するようになっている（図６中、ステップＳ２１２）。
【００７５】
また、相手の電話番号と一致する電話番号が、いずれかの個人情報ボックス３０から見つかった場合には（ステップＳ２１１のＹＥＳ）、制御部２０は、この通話の着信履歴を、その個人情報ボックス３０内の通話着信履歴フォルダ５８（図２参照）に保存するようになっている（図５中、ステップＳ２１３）。
【００７６】
また、制御部２０は、図４に示すように、この個人情報ボックス３０に対応する個人別メニュー画面７０を表示部８のに表示させるようになっている（図６中、ステップＳ２１４）。
【００７７】
次に、図８及び図９のフローチャートに基づいて、携帯電話機２から、通話を発信するとき又は電子メールを送信するときにおける、制御部２０の処理動作について説明する。
【００７８】
ユーザーが、この携帯電話機２から電子メールの送信又は通話の発信を行なう際に、その操作を図４に示す個人別メニュー画面７０から開始した場合には（図８中、ステップＳ３０１のＹＥＳ）、制御部２０は、通話発信履歴又は電子メールのデータの保存先を、操作が行なわれた個人別メニュー画面７０に対応する個人情報ボックス３０に特定しておくようになっている。
【００７９】
また、ユーザーによる電子メールの送信又は通話の発信の操作が、個人別メニュー画面７０から開始されなかった場合には（ステップＳ３０１のＮＯ）、通話発信履歴又は電子メールの保存先は、このステップＳ３０１の直後の時点において特定しないようになっている。
【００８０】
そして、制御部２０は、電子メールの送信又は通話の発信のいずれかを行なう操作が行なわれると、この操作が電子メールの送信であった場合（ステップＳ３０３のＮＯ）にはステップＳ３０４に移行し、通話の発信であった場合（ステップＳ３０３ＹＥＳ）には図９のステップＳ３１０に移行するようになっている。
【００８１】
ユーザーにより行なわれた操作が電子メールを送信するものであり（ステップＳ３０３のＮＯ）、かつ、送信した電子メールのデータの保存先がステップＳ３０２において既に特定されている場合には（ステップＳ３０４のＹＥＳ）、制御部２０は、送信した電子メールのデータを、図２に示す個人情報ボックス３０の送信電子メールフォルダ６０に保存するようになっている（ステップＳ３０５）。
【００８２】
また、ユーザーにより行なわれた操作が電子メールを送信するものであり（ステップＳ３０３のＮＯ）、かつ、送信した電子メールのデータの保存先がステップＳ３０１の直後の時点で未だ特定されていなかった場合には（ステップＳ３０４のＮＯ）、制御部２０は、この電子メールの宛先の電子メールアドレスと一致する電子メールアドレスが電子メールアドレスフォルダ３６（図２参照）に格納されているような個人情報ボックス３０が存在するかどうかを調べるため、、図１に示す記憶部１６内の全ての個人情報ボックス３０について検索を行なうようになっている（図８中、ステップＳ３０６）。
【００８３】
送信した電子メールの電子メールアドレスと一致する電子メールアドレスが、いずれの個人情報ボックス３０からも見つけ出せなかった場合には（ステップＳ３０７のＮＯ）、制御部２０は、送信した電子メールのデータを、図１に示す電子メールボックス２６に保存するようになっている（図５中、ステップＳ３０８）。
【００８４】
また、送信した電子メールの電子メールアドレスと一致する電子メールアドレスが、いずれかの個人情報ボックス３０から見つかった場合には（ステップＳ３０７のＹＥＳ）、制御部２０は、送信した電子メールのデータを、その個人情報ボックス３０内の送信電子メールフォルダ６０（図２参照）に保存するようになっている（図５中、ステップＳ３０９）。
【００８５】
また、ステップＳ３０３において、ユーザーにより行なわれた操作が通話の発信であった場合には（図８中、ステップＳ３０３のＹＥＳ）、この通話の通信が終了すると（図９中、ステップＳ３１０）、制御部２０は、通話発信履歴の保存先がステップＳ３０２において既に特定されていたかどうかを判断するようになっている（ステップＳ３１１）。
【００８６】
通話発信履歴の保存先が既に特定されていた場合には（ステップＳ３１１のＹＥＳ）、制御部２０は、通話発信履歴を、保存先となっている個人情報ボックス３０内の通話発信履歴フォルダ５６（図２参照）に保存するようになっている（図９中、ステップＳ３１２）。
【００８７】
また、通話発信履歴の保存先が未だ特定されていない場合には（ステップＳ３１１のＮＯ）、制御部２０は、この通話の発信を行なったときの相手の電話番号と一致する電話番号が電話番号フォルダ３４（図２参照）に格納されているような個人情報ボックス３０が存在するかどうかを調べるため、図１に示す記憶部１６内の全ての個人情報ボックス３０について検索を行なうようになっている（図６中、ステップＳ２１０）。
【００８８】
相手の電話番号と一致する電話番号が、いずれの個人情報ボックス３０からも見つけ出せなかった場合には（ステップＳ３１４のＮＯ）、制御部２０は、この通話の着信履歴を、図１に示す通話発信履歴ファイル２２に保存するようになっている（図９中、ステップＳ３１５）。
【００８９】
また、相手の電話番号と一致する電話番号が、いずれかの個人情報ボックス３０から見つかった場合には（ステップＳ３１４のＹＥＳ）、制御部２０は、この通話発信履歴を、その個人情報ボックス３０内の通話発信履歴フォルダ５６（図２参照）に保存するようになっている（図９中、ステップＳ３１６）。
【００９０】
このような本実施の形態に係る携帯電話機２、及びその情報の管理方法によれば、特定の個人情報を個人情報ボックス３０に記憶して管理すると共に、このような個人情報ボックス３０に記憶されている情報を処理動作の対象として、それぞれの個人情報ボックス３０に対応する個人別メニュー画面７０から様々な機能の処理動作を開始させる操作を行なうようになっているため、携帯電話機２の記憶部１６に記憶されている様々な情報の中から、特定の個人に関する情報だけを処理動作の対象にしたいような場合に、その操作性を向上させることができる。
【００９１】
なお、本実施の形態において、図２に示す個人情報ボックス３０は、符号３２ないし６６で示す各種のフォルダを有するようなデータ構造になっていたが、個人情報ボックス３０は、このようなデータ構造に限定されず、符号３２ないし６６で示す各種のフォルダに格納されるような情報を、定型的なデータ構造で記憶するようになっていれば、どのようなデータ構造であってもよい。
【００９２】
また、個人情報ボックス３０に記憶される、個人に関する情報は、本実施の形態で説明したものに限定されず、どのような種類の情報であってもよい。
【００９３】
また、本実施の形態では、図２に示す個人情報ボックス３０は、送信電子メールフォルダ６０及び受信電子メールフォルダ６２を有して、電子メールのデータを記憶するようになっていたが、このような送信電子メールフォルダ６０及び受信電子メールフォルダ６２に代えて、送信電子メール及び受信電子メールのそれぞれについて、その履歴を記憶するフォルダを有するようになっていてもよい。
【００９４】
また、本実施の形態では、図４に示す個人別メニュー画面７０における「発着信履歴」のメニュー項目７２ｇを選択する操作が行なわれた場合には、その後の操作により、図２に示す個人情報ボックス３０の通話発信履歴フォルダ５６又は通話着信履歴フォルダ５８に格納されている履歴の情報を表示部８に表示させるようになっていたが、通話発信履歴フォルダ５６又は通話着信履歴フォルダ５８に格納されている履歴の件数だけを表示させるようになっていてもよい。
【００９５】
また、本実施の形態では、携帯電話機２について本発明を適用した場合について説明したが、ＰＨＳ（Ｐｅｒｓｏｎａｌ  Ｈａｎｄｙ  ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）等のような、携帯電話機以外の他の携帯端末装置に対しても、本発明を適用することができることはいうまでもない。
【図面の簡単な説明】
【００９６】
【図１】本発明の一実施の形態に係る携帯電話機２の回路構成を示すブロック図である。
【図２】図１に示す個人情報ボックス３０のデータ構造を示す概念図である。
【図３】図１に示す制御部２０が、個人情報ボックス３０を生成するときの処理動作等を示すフローチャートである。
【図４】図１に示す表示部８の表示面に表示された個人別メニュー画面７０を示す図である。
【図５】本発明の一実施の形態に係る携帯電話機２が、通話を着信したとき又は電子メールを受信したときにおける制御部２０の処理動作を示すフローチャートである。
【図６】本発明の一実施の形態に係る携帯電話機２が、通話を着信したとき又は電子メールを受信したときにおける制御部２０の処理動作を示すフローチャートである。
【図７】図１に示す表示部８に表示された個人別メニュー画面７０、及びこの個人別メニュー画面７０上に表示されるガイダンス７６を示す図である。
【図８】本発明の一実施の形態に係る携帯電話機２から、通話を発信したとき又は電子メールを送信したときにおける制御部２０の処理動作を示すフローチャートである。
【図９】本発明の一実施の形態に係る携帯電話機２から、通話を発信したとき又は電子メールを送信したときにおける制御部２０の処理動作を示すフローチャートである。
【符号の説明】
【００９７】
２  携帯電話機
４  通信部
６  操作部
８  表示部
１０  音声処理部
１２  スピーカー
１４  マイクロホン
１６  記憶部
１８  撮像部
２０  制御部
２２  通話発信履歴ファイル
２４  通話着信履歴ファイル
２６  電子メールボックス
２８  アドレス帳ファイル
３０  個人情報ボックス
３２  名前フォルダ
３４  電話番号フォルダ
３６  電子メールアドレスフォルダ
３８  誕生日フォルダ
４０  星座フォルダ
４２  住所フォルダ
４４  着信音設定フォルダ
４６  着信画像フォルダ
４８  位置情報フォルダ
５０  スケジュールフォルダ
５２  アラーム設定フォルダ
５４  日記フォルダ
５６  通話発信履歴フォルダ
５８  通話着信履歴フォルダ
６０  送信電子メールフォルダ
６２  受信電子メールフォルダ
６４  カテゴリー外フォルダ
６６  アクセス制限設定フォルダ
７０  個人別メニュー画面
７２，７２ａ，７２ｂ，７２ｃ，７２ｄ，７２ｅ，７２ｆ，７２ｇ，７２ｈ，７２ｉ，７２ｊ，７２ｋ  メニュー項目
７４  ポインタ
７６  ガイダンス
Ｚ  個人情報番号
【図１】
2006128886.tif 000003
【図２】
2006128886.tif 000004
【図３】
2006128886.tif 000005
【図４】
2006128886.tif 000006
【図５】
2006128886.tif 000007
【図６】
2006128886.tif 000008
【図７】
2006128886.tif 000009
【図８】
2006128886.tif 000010
【図９】
2006128886.tif 000011